(57)【要約】【課題】接続の際にかかる外力による分岐継手の破損を抑制するとともに、低コストに構成する。【解決手段】可撓性を有するチューブ１０１と、該チューブ１０１を取り付ける該チューブ１０１より硬質なカセット本体１０２とを備え、チューブ１０１の長手方向の途中位置に、分岐継手１０３によって他の機器に接続される接続口１０４ａを有するポート部材１０４が設けられ、カセット本体１０２に貫通孔１０６が設けられ、ポート部材１０４が、接続口１０４ａへの他の機器の接続方向に移動可能に貫通孔１０６に支持されているチューブカセットを提供する。【選択図】図２
2012100685.tif 000002
【特許請求の範囲】
【請求項１】
可撓性を有するチューブと、該チューブを取り付ける該チューブより硬質なカセット本体とを備え、
前記チューブの長手方向の途中位置に、分岐継手によって他の機器に接続される接続口を有するポート部材が設けられ、
前記カセット本体に貫通孔が設けられ、
前記ポート部材が、前記接続口への他の機器の接続方向に移動可能に前記貫通孔に支持されているチューブカセット。
【請求項２】
前記カセット本体に、前記接続口側から接続方向に押圧される前記ポート部材を押し当てるストッパ面が設けられている請求項１に記載のチューブカセット。
【請求項３】
前記分岐継手の端部から離れた位置において前記チューブを前記カセット本体に固定する固定手段を備える請求項１に記載のチューブカセット。
【請求項４】
前記分岐継手を前記カセット本体に固定する弾性材料からなる固定手段を備える請求項１に記載のチューブカセット。
【発明の詳細な説明】
【技術分野】
【０００１】
本発明は、チューブカセットに関するものである。
【背景技術】
【０００２】
従来、生体液等の医療用との液体の送液を行う装置においては、チューブをディスポーザブル製品とする必要があり、装置へのチューブの着脱を容易にする目的から、チューブをそれよりも硬質のカセット本体に固定したチューブカセットが知られている（例えば、特許文献１参照。）。
この特許文献１においては、カセット本体に設けられた複数の固定用の部材によって、チューブの長手方向の複数の要所が、カセット本体に確実に固定されている。
【先行技術文献】
【特許文献】
【０００３】
【特許文献１】特開平７−２３６６９１号公報
【発明の概要】
【発明が解決しようとする課題】
【０００４】
このようなチューブカセットにおいては、チューブ内を流動する液体をサンプリングしたり、液体に対して薬剤等を供給したりすることが要求されており、その要求を満たすためには、シリンジ等の他の機器を接続するポート部材を設ける必要がある。
しかしながら、ポート部材はチューブの長手方向の途中位置に配置された分岐継手によって、チューブを分岐することにより設ける必要があり、ポート部材に他の機器を接続する際には、分岐継手にはチューブの長手方向に交差する方向に外力がかかるので、この外力によって分岐継手が破損する不都合が考えられる。特に、ディスポーザブル製品となるチューブカセットにおいては、高強度の分岐継手を用いることはコストアップとなり採用できない。
【０００５】
本発明は、接続の際にかかる外力による分岐継手の破損を抑制することができ、低コストに構成することができるチューブカセットを提供することを目的としている。
【課題を解決するための手段】
【０００６】
上記目的を達成するために、本発明は、以下の手段を提供する。
本発明は、可撓性を有するチューブと、該チューブを取り付ける該チューブより硬質なカセット本体とを備え、前記チューブの長手方向の途中位置に、分岐継手によって他の機器に接続される接続口を有するポート部材が設けられ、前記カセット本体に貫通孔が設けられ、前記ポート部材が、前記接続口への他の機器の接続方向に移動可能に前記貫通孔に支持されているチューブカセットを提供する。
【０００７】
本発明によれば、硬質なカセット本体に取り付けられたチューブの長手方向の途中位置に配置されたポート部材に他の機器を接続する場合に、接続方向に外力を作用させると、ポート部材がその外力の方向に移動させられるので、加えられた外力がポート部材に接続する分岐継手にそのまま加わることが防止される。これにより、強度の低い安価な分岐継手を用いても、接続時の外力によって分岐継手が破損することを防止することができる。また、ポート部材をカセット本体に堅固に固定しないので、高い寸法精度が不要であり、安価に製造することができる。
【０００８】
上記発明においては、前記カセット本体に、前記接続口側から接続方向に押圧される前記ポート部材を押し当てるストッパ面が設けられていてもよい。
このようにすることで、ポート部材をカセット本体のストッパ面に突き当てて、他の機器を接続する際に加えられる外力を他の機器とポート部材との接続に有効に利用することができる。
【０００９】
また、上記発明においては、前記分岐継手の端部から離れた位置において前記チューブを前記カセット本体に固定する固定手段を備えていてもよい。
このようにすることで、可撓性を有するチューブを弾性変形させて、接続方向に作用させた外力がポート部材に接続する分岐継手にそのまま加わることが防止される。
【００１０】
また、上記発明においては、前記分岐継手を前記カセット本体に固定する弾性材料からなる固定手段を備えていてもよい。
このようにすることで、弾性材料からなる固定手段をさせて、接続方向に作用させた外力が分岐継手にそのまま加わることを防止することができる。
【発明の効果】
【００１１】
本発明によれば、接続の際にかかる外力による分岐継手の破損を抑制することができ、低コストに構成することができるという効果を奏する。
【図面の簡単な説明】
【００１２】
【図１】本発明の一実施形態に係るチューブカセットを備える細胞分離装置を示す回路図である。
【図２】図１のチューブカセットにおけるサンプルポートの構造を示す縦断面図である。
【図３】図２のサンプルポートにシリンジを接続する状態を説明する縦断面図である。
【図４】図１のチューブカセットの変形例において、分岐継手にガイド手段を設けた例を示す斜視図である。
【発明を実施するための形態】
【００１３】
本発明の一実施形態に係るチューブカセット１００について、図面を参照して以下に説明する。
本実施形態に係るチューブカセット１００は、図１に示されるように、細胞分離装置１に備えられる。
【００１４】
細胞分離装置１は、生体組織、例えば、脂肪組織を消化酵素とともに収容して攪拌する分解処理部２と、該分解処理部２による分解処理の結果、脂肪組織から脂肪由来細胞を分離して得られた細胞懸濁液を濃縮する細胞濃縮部３と、該細胞濃縮部３において濃縮された脂肪由来細胞を洗浄するための洗浄液を貯留する洗浄液収容部４と、細胞濃縮部３における濃縮処理（洗浄処理を含む）において排出された廃液を収容する廃液回収部５と、これらの間を接続する搬送路６とを備えている。
【００１５】
前記分解処理部２には、ヒトから採取した脂肪組織を分解処理部２内に導入する導入部７と、脂肪組織から単離された脂肪由来細胞を透過させ、脂肪組織の通過を禁止するフィルタ８とが備えられている。
前記細胞濃縮部３は、図に示される例では、２つの遠心容器１０と、該遠心容器１０をその底面を半径方向外方に向けて回転させる遠心分離機１１（図においては継手部分のみを表示している）を備えている。
【００１６】
符号１２はベアリング、符号１３はシール部材、符号２１は上清を吸引する上清吸引部を示している。遠心容器１０には最終的に濃縮された脂肪由来細胞を採取するためのシリンジ１０ａが一体的に設けられている。
前記洗浄液収容部４および前記廃液回収部５はそれぞれ、洗浄液または廃液を収容する容器４ａ，５ａを備えている。
【００１７】
本実施形態に係るチューブカセット１００は、搬送路６に設けられている。搬送路６には、チューブカセット１００のチューブ１０１を外部から押して内部の液体に送りをかけるペリスタルティックポンプ１５およびチューブ１０１を各位置において開閉する複数のバルブＶ１〜Ｖ１２が設けられている。
【００１８】
チューブカセット１００は、可撓性を有する複数のチューブ１０１および該チューブ１０１を分岐させる継手１６を、チューブ１０１より硬質な箱状のカセット本体１０２（図２参照。）に取り付けて構成されている。また、チューブカセット１００には、チューブ１０１の途中位置に配置され細胞懸濁液の一部を取り出し可能なサンプルポート（ポート部材）１７が設けられている。
【００１９】
サンプルポート１７は、バルブＶ１とペリスタルティックポンプ１５との間のチューブ１０１の一部を分岐して設けられ、シリンジ（図示略）を着脱可能に設けられている。これにより、分解処理部２から細胞濃縮部３へ向かう細胞懸濁液の一部をサンプルポート１７へ導入した後、サンプルポート１７に取り付けられたシリンジによって吸引し、シリンジを取り外して検査装置へ搬送することができるようになっている。
【００２０】
ここで、本実施形態においては、サンプルポート１７は、チューブ１０１の長手方向の途中位置を分岐させるＴ字状の分岐継手１０３と、該分岐継手１０３に固定されたポート部材１０４とを備えている。分岐継手１０３はカセット本体１０２には直接固定されておらず、分岐継手１０３の両端から離れた位置におけるチューブ１０１がカセット本体１０２に固定されている。図２において、符号１０５は、チューブ１０１をカセット本体１０２に固定する固定具である。
【００２１】
また、ポート部材１０４は、略円筒状に形成されているとともに、その一端に、シリンジ１０８を接続するための接続口１０４ａを有している。ポート部材１０４は、カセット本体１０２に、厚さ方向に貫通形成された貫通孔１０６内に挿入配置されている。ポート部材１０４および分岐継手１０３の外径寸法は、貫通孔１０６の内径寸法より十分に小さく形成されている。これにより、ポート部材１０４は貫通孔１０６の長手方向に移動可能に設けられている。
【００２２】
また、カセット本体１０２には、貫通孔１０６の周囲に、シリンジの接続時等に、ポート部材１０４が押されたときに、ポート部材１０４を突き当てる突き当て面１０７が設けられている。
【００２３】
このように構成された本実施形態に係るチューブカセット１００の作用について、以下に説明する。
本実施形態に係るチューブカセット１００によれば、図３に示されるように、硬質なカセット本体１０２に取り付けられたチューブ１０１の長手方向の途中位置に配置されたポート部材１０４にシリンジ１０８を接続する場合に、接続方向（図中矢印Ａ）に外力を作用させると、ポート部材１０４がその外力の方向に移動させられるので、加えられた外力がポート部材１０４に接続する分岐継手１０３にそのまま加わることが防止される。
【００２４】
すなわち、ポート部材１０４および分岐継手１０３が、カセット本体１０２の厚さ方向に貫通する貫通孔１０６内に緩く嵌合されていて、貫通孔１０６の長手方向に移動可能に配置されているので、その方向に外力を加えても、外力はチューブ１０１を弾性変形させるだけで、ポート部材１０４および分岐継手１０３にそのまま受け止められない。
【００２５】
そして、ポート部材１０４は、貫通孔１０６の長手方向に移動した後に、カセット本体１０２に設けられた突き当て面１０７に突き当たるので、それ以上の変位が制限される。これにより、チューブ１０１が過度に変形させられることを防止できるとともに、分岐継手１０３に過度の力が作用することを防止できる。
【００２６】
その結果、強度の低い安価な分岐継手１０３を用いても、接続時の外力によって分岐継手１０３が破損することを防止することができるという利点がある。また、ポート部材１０４をカセット本体１０２に堅固に固定しないので、高い寸法精度が不要であり、安価に製造することができるという利点がある。
【００２７】
このように、本実施形態に係るチューブカセット１００によれば、ポート部材１０４に加わる外力がそのまま分岐継手１０３に加わることを防止できる。したがって、シリンジを接続する際のみならず、搬送時等にポート部材１０４に大きな外力が作用しても、分岐継手１０３が破損しないように保護することができる。
【００２８】
なお、本実施形態においては、チューブ１０１を固定具１０５によりカセット本体１０２に固定することとしたが、これに代えて、固定具自体を弾性変形可能なゴム等の材質により構成して、分岐継手１０３とカセット本体１０２とを固定することにしてもよい。
【００２９】
また、ポート部材１０４および分岐継手１０３とを更に緩く貫通孔１０６に挿入する場合には、カセット本体１０２に対するポート部材１０４の姿勢を維持するためのガイド手段を設けてもよい。ガイド手段としては、例えば、図４に示されるように、分岐継手１０３に移動方向に沿って設けた平板状の突起１０９と、カセット本体１０２に設けられた突起１０９を収容する案内溝１１０とにより構成したものを採用すればよい。
【符号の説明】
【００３０】
１００  チューブカセット
１０１  チューブ
１０２  カセット本体
１０３  分岐継手
１０４  ポート部材
１０４ａ  接続口
１０５  固定具（固定手段）
１０６  貫通孔
１０７  突き当て面（ストッパ面）
１０８  シリンジ（他の機器）
【図１】
2012100685.tif 000003
【図２】
2012100685.tif 000004
【図３】
2012100685.tif 000005
【図４】
2012100685.tif 000006